(57)【特許請求の範囲】
【請求項１】
移動局に対して移動性を提供する少なくとも一つの移動通信ネットワーク、データネットワーク、データネットワークに対して移動局の接続を提供する少なくとも２つの接続ノード、サービスを提供する少なくとも１つのデータネットワークサーバーを有する通信システムにおける方法であって、
第１接続ノードとデータネットワークサーバーの間において、接続が開始されて、第１接続ノードによってサービスされた通信システムの第１サービスエリア内に位置する移動局によって使用される接続を確立し、
第１接続ノードとデータネットワークサーバーの間における接続のために、特定のセッションの識別を専有させ、
第１サービスエリアから通信システムの第２サービスエリアまで、第１接続ノードとデータネットワークサーバーの間における接続を使用して移動局をローミングし、第２サービスエリアは、第２接続ノードによってサービスし、
第２接続ノードにおいて、ローミングしている移動局を識別し、
前記第２接続ノードにおいて、前記特定のセッション識別し、
ネットワークサーバに対して第１アクセスノードと前記特定のセッション識別に対応するネットワークサーバとの間の接続を移転して、前記第２のアクセスノードとデータネットワークサーバとの間の接続として継続し、移動局とネットワークサーバの間の連続的な通信を可能にするように要求する過程とを有する方法。
【請求項２】
特定のセッション識別は、インターナショナル・モバイル・サブスクライバー・アイデンティティ（ＩＭＳＩ）、移動局ＩＳＤＮ番号（ＭＳＩＳＤＮ）、呼び出し番号情報（Ａ―ｎｕｍｂｅｒ）のうち、少なくともいくつかを用いて形成されたセッションＩＤから構成される前記請求項１に記載の方法。
【請求項３】
特定のセッション識別は、第１接続ノードとデータネットワークサーバーの間における接続のために、トンネルＩＤとコールＩＤから構成される前記請求項１に記載の方法。
【請求項４】
各接続ノードとデータネットワークサーバー間における接続は、ポイント・ツー・ポイントであって、ポイント・ツー・ポイント接続は、好ましくは、レイヤ・ツー・チュネリング・プロトコル（Ｌ２ＴＰ）を用いて実行される前記請求項１ないし３に記載の方法。
【請求項５】
第２接続ノードは、移動局の認知後に、ネットワークサーバーに対して、“ローミング・コール・リクエスト“メッセージを送信し、前記メッセージは、第１接続ノードとデータネットワークサーバーの間における接続において、専有されたセッションの識別情報を含む、前記請求項１ないし４に記載の方法。
【請求項６】
ローミングした移動局に関するローミング情報は、移動通信ネットワーク、データネットワークサーバー識別を含んだ前記ローミング情報、特定のセッション識別、あるいは、第２接続ノードが特定のセッションの識別を決定できるということに基礎をおいた情報によって、第２接続ノードに提供される前記請求項１ないし５に記載の方法。
【請求項７】
データネットワークが、インターネットのような、パケット交換公衆データ網である前記請求項１ないし６に記載の方法。
【請求項８】
第１サービスエリアから第２サービスエリアまでのローミングに続いて起こる移動局からのオーセンティケーションを要求する過程を有する前記請求項１ないし７に記載の方法。
【請求項９】
移動局に移動性を提供する、少なくとも１つの移動通信ネットワークと、
データネットワークと、
データネットワークにおいて、実行されたネットワークサーバーと、
前記第１接続ノードが、第１接続ノードとネットワークサーバーの間における接続と、接続ノードと特定のセッション識別で占有されたネットワークサーバーの間における接続を提供することによって、データネットワークに対して、移動局の接続が可能となるように手配される通信システムの第１サービスエリアをサービスした第１接続ノードと、
第２接続ノードとネットワークサーバーの間における接続を提供することによって、データネットワークに対して、移動局の接続が可能となるように手配される通信システムの第２サービスセリアをサービスした第２接続ノードと、
第２接続ノードが第２サービスエリアの中にローミングした移動局を認知し、それにつづいて、特定のセッションの識別を得て、ネットワークサーバーに対して、獲得されたセッションの識別情報を送るために手配されて、
ネットワークサーバーは、第１接続ノードとネットワークサーバとの間の接続を、第２アクセスノードとネットワークサーバとの間の接続に移転して、移動局とネットワークサーバとの間の連続通信を可能にする通信システム。
【請求項１０】
移動通信ネットワークは、ローミングしている移動局と第１接続ノードとネットワークサーバーの間における接続に関する予め定義された情報を第２接続ノードに提供するために手配される前記請求項９に記載のシステム。
【請求項１１】
各接続ノードとネットワークサーバーの間における接続は、ポイント・ツー・ポイント接続であり、前記ポイント・ツー・ポイント接続は、できれば、レイヤ・ツー・チュネリングプロトコルを用いて実行される前記請求項９ないし１０に記載のシステム。
【請求項１２】
移動通信ネットワークは、デジタル回線交換セルラーＰＬＭＮネットワークを有し、データネットワークは、インターネットのような、パケット交換公衆データ網を有する前記請求項９ないし１１に記載のシステム。
【請求項１３】
移動局は、移動電話とパケット交換データネットワークを用いて、提供されるサービスで通信できるデータ処理装置を有する前記請求項９ないし１２に記載のシステム。
【発明の詳細な説明】
【０００１】
【発明の技術分野】
本発明は、モバイルユーザーが、移動通信システムを介してデータネットワークサービスに接続する可能性を提供される、移動局ユーザーに移動通信を提供する方法に関連する。本発明は、さらに、データネットワークサーバーによって提供されたデータネットワークサービスに対して、モバイル接続が可能な通信システムに関連する。
【０００２】
【発明の背景】
ユーザーに移動性を与える電気通信システムは、よく知られている。移動性を提供したパブリック・ランド・モバイル・ネットワーク（ＰＬＭＮ）システムは、アナログＮＭＴ（ノーディック・モバイル・テレフォニー）、ＡＭＰＳ（アメリカン・モバイル・ホン・システム）、または、ＴＡＣＳ（トータル・アクセス・コミュニケーション・システム）、ＰＣＳ（パーソナル・コミュニケーション・サービス）、ＰＤＣ（パーソナル・デジタル・セルラー）、または、Ｄ−ＡＭＰＳ（デジタルＡＭＰＳ）のような、様々な国内や国際的な標準を基礎とするアナログとデジタルの電気通信ネットワークを含む。このうち、基本的な概念は、モバイルユーザーが、ＰＬＭＮのほかの部分に対し、呼びを接続するＰＬＭＮシステムの基地局に付属する、ラジオインターフェースを持つことを可能としたことである。ＰＬＭＮは、適当なゲートウェイを介して、他の通信ネットワークと通信できる。ＰＬＭＮの１つの根本的な特徴は、ユーザーが、移動できるということ、つまり、１つの基地局のサービスエリア、または、基地局補助システムから別の基地局によってサービスされた別のサービスエリアに動き回ることができることである。
【０００３】
様々なデータネットワークもよく知られており、パケット交換公衆データ網（ＰＳＰＤＮ；例  Ｘ．２５）とＴＣＰ／ＩＰ（ランスポート・コントロール・プロトコル／インターネットプロトコル）を基礎としたグローバルインターネットは、このようなものの例である。インターネットは、ＰＳＴＮ（公衆交換電話網）および／または、ＩＳＤＮ（デジタル総合サービス網）と適切なゲートウェイを通して、様々な会社のネットワーク、行政機関、大学、その他の団体組織、例として、ＬＡＮ（ローカル・エリア・ネットワーク）やＭＡＮ（メトロポリタン・エリア・ネットワーク）のような莫大な数の地域エリア網につながっている世界的開放通信網として定義される。
【０００４】
ほとんどの場合において、インターネットを通じて、様々な接続可能なサービスは、マイクロコンピュータやＰＣ(パーソナルコンピュータ)あるいは、ワークステーションのようなデータ処理装置のグラフィックインターネットインターフェースを提供するワールドワイドウェッブ（ＷＷＷ）のＨＴＴＰプロトコル（ハイパーテキスト・トランスファー・プロトコル）と呼ばれるものを利用して提供される。ＷＷＷは、ＨＴＭＬ（ハイパー・テキスト・メイクアップ・ラングエージ）文書、つまり、ハイパードキュメントのことであり、テキスト文書、画像、動画とビデオ、音響、他のドキュメントへのリンクなどの機能を有する１つの独立したエンティティを形成したドキュメントを有する。ハイパードキュメントは、ＨＴＭＬドキュメント、つまりドキュメントデータの中に含まれた情報を更新する“ウェッブマスター”を有する。
【０００５】
固定接続を有する従来の公衆交換電話網（ＰＳＴＮ）に加え、パブリック・ランド・モバイル・ネットワーク（ＰＬＭＮ）に付属のエア・インターフェースを通じて通信する移動局を用いて、インターネット、ＷＷＷページ、インターネットサービスプロバイダーによって提供された他のサービスのような、パケット交換データネットワークに接続することも可能である。接続を可能とした装置は、移動電話、または、対応した無線機のインターフェース装置に接続した持ち運び可能なコンピューターの様々な型などを有する。移動電話装置の主な製造者は、移動電話を用いた移動電気通信ネットワークを介して、インターネットのようなデータネットワークに対して、所望の接続を可能にする適切なインターフェース媒体を提供している。接続に使用される移動局と移動網は、アナログ、あるいは、デジタルどちらの移動電話通信技術に基礎を置くこともできる。
【０００６】
分離した装置に加えて、総合データ処理装置と移動無線装置が良く知られている。これらにおいて、移動局は、ＣＰＵ（集中制御ユニット）と必要なメモリ媒体、表示装置、キーパッド、移動通信用無線媒体を含んだデータ処理装置を有する総合的な携帯可能な装置である。
【０００７】
インターネット向けにＰＬＭＮユーザーに、接続を与える１つの解決法にもとづいて、インターネット・アクセス・サーバー（ＩＡＳ）は、移動電話通信システムの移動交換センター（ＭＳＣ）に接続される。ＩＡＳは、呼びを発している移動電話が、接続（Ｂ―ｎｕｍｂｅｒ）を確立しようとすることに対して、送付先番号を確認するために、手配される。その送付番号が、インターネットサービスプロバイダーの番号である場合、呼びは、普段の回線交換呼出しとして、公衆交換電話網（ＰＳＴＮ）に、さらには送信しないが、ＩＡＳに送信を終えて、データは、普通、パケット交換呼出しとして、データパケットの形式で、データネットワーク経由でＩＳＰに対し送信される。現在、その配列は、各国、または、いくつかの国における各ＰＬＭＮが、１つのインターネットアクセスノードを有すること、となっている。
【０００８】
ＩＳＰに対して接続を可能とするために、ＩＥＴＦ(インターネット・エンジニアリング・タスク・フォース)によって、レイヤ・ツー・チュネリング・プロトコル（Ｌ２ＴＰ）のような、チュネリングプロトコルは、使用されたデータネットワーク上で、ポイント・ツー・ポイントプロトコル（ＰＰＰ：例、１９９４年７月、Ｗ．Ｓｉｍｐｓｏｎ著  ＲＦＣ１６６１メモによって定義された）のリンクレイヤのチュネリングを許可するために使用できる。この場合において、遠隔操作移動ユーザーは、Ｌ２ＰＴアクセス・コンセントレーター（ＬＡＣ）のような、接続ノード（ＡＮ）を有するＰＬＭＮ経由で、サービスプロバイダーに対して、ＰＰＰ接続を開始する。その接続ノードは、トンネルの片端において与えられ、モバイルユーザーのＰＰＰリンクが、確立状態になってから、接続を受け入れる。その後、Ｌ２ＴＰトンネルのもう１端において、Ｌ２ＴＰネットワークサーバー（ＬＮＳ）は、遠隔操作モバイルユーザーガ本物であることを証明し、１つ以上のネットワークレイヤを一括バッチ処理を行うことによって、ＰＰＰセッションの処理（つまり、開始手続き）を完全にする。Ｌ２ＴＰは、１つのトンネル上で、いくつかの呼びを多重送信するので、各ポイント・ツー・ポイント接続は、トンネル内で単一の呼び出しＩＤ（識別）を持つ。
【０００９】
【発明の要旨】
このような構成は、例えば、モバイルユーザーが、通信システムの１つのエリアから別のサービスエリアに、つまり、他の接続ノード（例：別のＬＡＣ）によってサービスされたエリアに、移動する場合において、まだ、いくつかの不都合な点がある。モバイルユーザーが、新しいエリアに入るたびに、古い接続ノードをもった古いＰＰＰセッションは、削除されねばならず、その後、新しい接続ノードを持った新しいＰＰＰセッションが、処理されねばならない。これは、信号通信トラフィックが増加することになり、ある程度時間がかかる。現在のＰＬＭＮシステムは、高いエンド・ツー・エンド遅延を持つことがわかっており、したがって、この強制的な処理手続きは、ほとんどの場合において、たとえば、およそ５秒から３０秒かかるハンドオーバー処理のように、かなり長いハンドオーバー過程が必要になる。ハンドオーバー過程が原因となった一時的なサービスの切断は、ＴＣＰ（トランスミッション・コントロール・プロトコル）機能で不都合な結果を招く。
【００１０】
以前からある技術的な問題の不都合な点を克服することと、インターネット経由で、インターネットサービスプロバイダーによって提供されるサービスのように、データネットワークサービスに接続するローミングしているモバイルユーザーに、新しいタイプの問題解決を提示することが、本発明の目的である。
【００１１】
本発明の別の目的は、モバイルユーザーが、第１接続ノードによってサービスされたサービスエリアから、他の接続ノードによってサービスされたサービスエリアに移動するときに、２つの接続ノードの間におけるハンドオーバー過程で、遅延を最小化することが可能な手段を用いた方式とシステムを提供することである。
【００１２】
本発明のもう１つの目的は、ローミングしている移動局のハンドオーバー中の再ネゴシエーション処理手続きを避けることができる方式とシステムを提供することである。
【００１３】
本発明の他の目的は、ローミングしている移動局とデータネットワークサービスの間における通信において切断されるリスクを低減することができる方式とシステムを提供することである。
【００１４】
その目的は、移動局の移動性を提供する少なくとも１つの通信ネットワークと、データネットワーク、移動極にデータネットワークに対する接続を提供する、少なくとも２つの接続ノード、サービスを提供する、少なくとも１つのデータネットワークサーバーを有する通信システムにおける方法によって解決することができる。その方法は、第１接続ノードとデータネットワークサーバーの間における接続を確立する過程と、その接続は、第１接続ノードによって、サービスされた通信システムの第１サービスエリア内に位置する移動局によって開始される、第１接続ノードとデータネットワークサーバーの間における接続に特定セッションの識別を専有させる過程と、第１サービスエリアから通信システムの第２サービスエリアに第１接続ノードとデータネットワークサーバーの間の接続を使用して移動局をローミングする過程と、第２接続サービスエリアは第２接続ノードによってサービスを提供されている、第２接続ノードにおいてローミングしている移動局を認識する過程と、前記第２接続ノードにおいて前記特定のセッション識別を得る過程と、データネットワークサーバに対して、第１の接続ノードと前記特定の接続識別に対応するネットワークサーバとの間の接続を、前記第２の接続ノードとデータネットワークサーバとの間の接続として継続して、移動局とネットワークサーバの通信を継続させるように要求する過程とを有する。
【００１５】
本発明において、通信システムは、移動局に移動性を提供する少なくとも１つの移動通信ネットワーク、データネットワーク、データネットワークにおいて実行されたネットワークサーバー、通信システムの第１サービスエリアをサービスしている第１接続ノードを有して、前記第１接続ノードは、第１アクセスノードとネットワークサーバーの間における接続、接続ノードと特定のセッション識別で占有されているネットワークサーバーの間における前記接続、通信システムの第２サービスエリアをサービスしている第２接続ノードを提供することによって、データネットワークに対して、移動局に接続を可能とするように手配される、前記第２接続ノードは、第２接続ノードとネットワークサーバーの間における接続を提供することによって、データネットワークに対して、移動局に接続を可能とするようにも手配される。第２接続ノードは、第２サービスエリアの中にローミングした移動局を認識して、ひきつづき、特定のセッション識別を得て、得られたセッション識別情報をネットワークサーバーに送るように手配される。ネットワークサーバーは、第１接続ノードと接続を継続するためのネットワークサーバーの間で、第２接続ノードと継続的な通信が可能となるネットワークサーバーの間で、移動局とネットワークサーバーの間において、接続を転送するように手配される。
【００１６】
１つの実施例において、各接続ノードとデータネットワークサーバーの間における接続は、ポイント・ツー・ポイント接続である。ポイント・ツー・ポイントは、むしろ、レイヤ・ツー・チュネリング・プロトコル（Ｌ２ＴＰ）を用いて実行できる。さらに、移動通信ネットワークは、ローミングしている移動局に関する予め定義された情報と共に第２接続ノードを提供するよう手配されることができ、セッション識別が、次のインターナショナル・モバイル・サブスクライバ・アイデンティティ（ＩＭＳＩ）、モバイル・ステーションＩＳＤＮ番号（ＭＳＩＳＤＮ）の少なくともいくつかを用いて形成されるセッションＩＤを構成した番号情報を呼び出しながらローミングしている移動局に関する、予め定義された情報で、第２接続ノードを提供するよう手配できる。１つの可能性によると、その方式は、第１サービスエリアから第２サービスエリアまでローミング後、続いて移動局からオーセンティケーションを要求する過程を有する。
【００１７】
解決方法は、ローミングしている移動局のハンドオーバー過程における、単純で、信頼性があり、かつ制御可能な方法を提供するので、いくつかの有利な点が、本発明から得られる。本解決法により、全体にハンドオーバー過程にかかる時間を減少させることが可能である。さらに、移動局とサービスの間における継続中の接続は、以前の技術的な点において、妨げが少なく、ほとんどの場合において、接続は、ハンドオーバー手続きによって、全く妨害されない。ハンドオーバー手続きは、接続機能において、目立ったエラーを引き起こさない。
【００１８】
以下に、本発明とその目的および利点を添付の図面と共に例示するが、図面においては類似の部分については同様な参照番号を付番することにする。
【００１９】
【好ましい実施例の詳細な説明】
まず、パブリック・ランド・モバイル・ネットワーク（ＰＬＭＮ）とデータネットワーク間、つまり、図１におけるインターネット間と同様に、モバイルユーザー端末間における通信が可能なＰＬＭＮを有する電気通信システムの全般的な構造を、本発明の基礎となる点をさらに理解するために、図１に示す。いくつかのネットワーク要素は、図１より明らかであるため、省略する。
【００２０】
図１の電話システムは、パブリック・ランド・モバイル・ネットワーク（ＰＬＭＮ）を基礎としたＧＳＭのような、移動電気通信ネットワークを含む。図には示していないが、ＰＬＭＮは、普段、適切なゲートウェイ経由でデジタル総合サービス網（ＩＳＤＮ）のような、公衆交換電話網（ＰＳＴＮ）と、あるいは、似たような設備に接続される。多様な電気通信システムとその間において欠かせない接続は、その分野においてよく知られており、あえて、さらにここで詳細について説明はしない。
【００２１】
図１の例において、ＰＬＭＮは、２つの移動サービス交換センター（ＭＳＣ）を含むように図示され、ＭＳＣは、複数の基地局の補助システム（ＢＢＳ；ＭＳＣに１局のみを示す）に接続される。各ＢＢＳは、セルと呼ばれる予め定義された地理的エリアを管理する複数の基地局（ＢＳ；ＢＢＳに１局のみを示す）に接続される。この例において、各ＭＳＣは、１つのサービスエリアを形成する。図１に示すように、ＰＬＭＮのサービスエリアは、それぞれ、他局とも相互に重なる。一般的に、ＰＬＭＮの配列は、移動局が、適切にリンクしている装置を介して、適当な受信あて先通信システムに接続された移動サービス交換センター（ＭＳＣ）に順次接続された基地局補助装置に接続された近くにある基地局と無線インターフェースを介して通信している。この例において、図示した接続のみが、適切な接続ノード（ＡＮ）を介してインターネットに対するゲートウェイである。この詳述は、後にさらに詳しく説明する
【００２２】
データネットワークサービスに接続するときに利用することができる移動局、あるいは、「知能移動端末」は、近くにあるＢＳとの無線通信パスとデータネットワークサービスの使用を可能とするデータ処理装置を提供する無線機手段を有する。図１は、移動局の二つの可能性：統合型（または結合型）無線機とデータ処理装置（ＭＳ＋ＰＣ；これは、時として、発信機として引用される）を示す。分割方データ処理装置（ＰＣ；例：移動型コンピューター）における結合型構想配置は、移動無線機に対して、適当なインターフェースによって、接続される。１つの別の解決方法の例は、ラップトップ、あるいは、無線カードを備えた移動可能なコンピューターである。
【００２３】
移動局は、１つのＭＳＣ（サービスエリア１）の適用エリアからもう１つのＭＳＣ（サービスエリア２）の適用エリアまで動き回ることは自由である。移動局は、他のオペレーターまたは、外国のネットワークオペレーターのＭＳＣ適用エリアにローミングする可能性もある。様々な国の電気通信システムの間で要求されるゲートウェイと、あるいは、オペレーターは、本質的に既知の方法において提供できる。
【００２４】
ローミングの可能性は、そのシステムが、移動局の移動に追従し、適切な方法で、移動局からの呼びのルート付けをすることができるように、ＰＬＭＮシステムに対して、いくつかの要求を決定する。この機能性が、発明において利用できるので、基本的な特徴と要素を、以下に説明する。
【００２５】
ほとんどの場合において、ホーム・ロケーション・レジスター（ＨＬＲ）と呼ばれるＰＬＭＮは、中央データベースを含む。ＨＬＲは、移動加入者管理の目的で使用され、他のものにおいて、その有用性のあるトラックと移動加入者の継続中の呼びを保持するように手配される。ＨＬＲに格納された全般的な情報は、加入者情報とローミングしている移動局に発信される呼びの入力を許可した移動局位置情報の一部を有する。さらに、ＨＬＲは、システムにおいて使用された３つの確認情報：インターナショナル・モバイル・サブスクライバー・アイデンティティ（ＩＭＳＩ）、モバイル・ステーションＩＳＤＮ番号（ＭＳＩＳＤＮ）、ビジター・ロケーション・レジスター（ＶＬＲ）アドレスを格納する。ＨＬＲは、サービス制限と補足的サービスなどの電気通信サービスに関連した加入者に関する情報も有する。
【００２６】
ＭＳＣは、与えられたＭＳＣの結びついたセルのうち、１つの適用エリア、または、サービスエリアの中に位置した移動局が登録されているビジター・ロケーション・レジスターと呼ばれるローカルデータベースを含む。ＶＬＲは、ローカルエリアのような、ローミングしている移動局の情報を大量に格納する機能を持った装置である。ＶＬＲは、ＭＳＣが入力／出力の呼びを処理することができるので、要求された他の情報も有する。この情報は、関連した移動局の特定のＨＬＲとのやり取りを介してＶＬＲによって集められる。この情報は、モバイル・サブスクライバー／ステーション・ローミング・ナンバー（ＭＳＲＮ）を例とした、一時的な移動加入者の身分確認（適用可能な場合）、移動局が登録されているローカルエリア、補足的なサービスパラメーターに関連しているデータを含む。したがって、システムは、与えられたＰＬＭＮに属し、ＭＳＣによって制御されたセルのエリア内部に、そのとき位置した移動局は、一時的にＭＳＣのＶＬＲに登録され、同時に、別のＭＳＣ、あるいは、同じＭＳＣの１つのＨＬＲにおいて永久登録される。遅くとも移動局が登録されたどんなときでも、少なくともどんなＶＬＲの場合でも、ＨＬＲは、常に、移動局が登録されるＶＬＲについて、通知される。
【００２７】
模式図１は、セルラーネットワークにおける、２つのＭＳＣ、ＢＢＳ、ＨＬＲ、ＶＲＬ、ＢＳだけを示しているが、各ＰＬＭＮにおいて、これらのネットワーク要素が大多数あることに注意を要する。異なるＰＬＭＮシステムにおいて、対応しているネットワーク要素は、異なって名づけられている可能性もあることに注意を要する。
【００２８】
接続ノード（ＡＮ）は、パケット交換グローバルインターネットを例としたデータネットワークに対して、移動局の接続を提供するために要求される。ＰＬＭＮの異なるサービスエリア１と２は、分割接続ノード（例において、ＬＡＣ１とＬＡＣ２）をもつ。したがって、サービスエリア１からサービスエリア２にローミングした移動局は、第１サービスエリアのＬＡＣ１から第２サービスエリアのＬＡＣ２に対応して切り替えられる。この一連の処理手順は、ハンドオーバーと呼ばれる。
【００２９】
通信システムは、さらに、インターネットに収容されたネットワークサーバーを有する。ネットワークサーバーは、普段、持続され、データネットワークのユーザーに対するいくつかのサービスを提供するサービスプロバイダー、または、似たような設備によって、運営される。例は、ＡＳとネットワークサーバーの間におけるレイヤ・ツー・チュネリング・プロトコル（Ｌ２ＴＰ）を利用するので、ネットワークサーバーは、Ｌ２ＴＰネットワークサーバー（ＬＮＳ）と名づける。ネットワークサーバー（ＬＮＳ）は、上記の説明のように、インターネットプロバイダーサービス（ＩＳＰ）によって提供される様々なサービスの使用を可能とするエンティティ、あるいは、ノードとして、定義することができる。
【００３０】
ＡＮとＬＮＳの間における各トンネル化されたポイント・ツー・ポイント接続（ＰＰＰ）は、トンネルＩＤ（識別）番号とコールＩＤ番号のような精密な接続に専有される接続特定情報を持つ。前記の技術的な解決法において、ＬＡＣ１のサービスエリアからＬＡＣ２のサービスエリアまで、ＰＬＭＮの中でローミングしている移動局は、ＬＡＣ２とＬＮＳの間における接続に対して、インターネットでの新しいトンネルＩＤと新しいコールＩＤの需要をもたらしている。
【００３１】
図２は、ＬＮＳが、ＬＮＳと継続中のポイント・ツー・ポイント接続を持った新しい移動局が、そのサービスエリアの中に浸入したことを認識した後に、提案された解決法が要求する信号送信／メッセージを模式的に図に示す。提案によると、”新しい”接続ノードＬＡＣ２（つまり新しい浸入されたサービルエリアの接続ノード）が、以下のような要求をすることができる接続転送メカニズムがシステムに導入される：
１．ネットワークサーバーＬＮＳは、前記サービスエリアの前記接続ノードＬＡＣ１とネットワークサーバーＬＮＳの間における前記Ｌ２ＴＰトンネルにおいて、現在の呼びを切断する。
２．ＬＡＣ１とＬＮＳの間における現在の接続は、接続ノードＬＡＣ２とＬＮＳの間における接続を形成するために転送して、ネットワークサーバーＬＮＳは、“新しい“接続ノードＬＡＣ２とネットワークサーバーＬＮＳの間におけるＬ２ＴＰトンネルの接続と継続中でもうすでに存在しているＰＰＰセッションを結びつける。
【００３２】
これは、“ローミング・コール・リクエスト”と“ローミング・コール・リプレイ“と名づけることができる２つの新しいプロトコル制御メッセージ（２つの新しいＬ２ＴＰ制御メッセージのような）を導入することにより、実行可能である。これらにより、”ローミング・コール・リクエスト“は、ＬＡＣ２が、ＬＮＳと継続中のＰＰＰセッションを有する自動ホスト（つまり、移動局）が今、そのサービスエリアにいることを理解した後、ＬＡＣ２によって、ＬＳＮに送られる。“ローミングコールレプライ”は、ＬＮＳによって、新しい接続ノードＬＡＣ２に順番に送られ、ＬＮＳとＬＡＣ２の間における継続中のＰＰＰセッションに転送することに成功したか失敗したかを示す。
【００３３】
ＬＮＳの“ローミング・コール・リクエスト”において、ＬＮＳとＬＡＣ１の間において切断されることを示すその呼びを定義することができるために、新しい接続ノード２は、ＬＡＣ１とＬＮＳの間における古い接続ノードＬＡＣ１とＰＰＰ接続に関する情報を得なければならない。これは、ＬＡＣ１とＬＮＳの間における接続の要求された接続特定認識情報を提供する解決法の新しいタイプを使用することにより、資格が与えられる。以下において、この識別は、ＰＰＰセッションＩＤ（ＰＰＰ−ＩＤ）と称す。そのＰＰＰ−ＩＤは、第１接続が、リンク・コントロール・プロトコルにおいて、ＬＡＣ１とＬＮＳの間において、確立されるときに創られる唯一のＩＤである。ＰＰＰ−ＩＤは、ＰＬＭＮからこれらの様々な組み合わせまで、受信されたＡ番号情報（呼び出し番号）、ＩＭＳＩおよび／または、ＭＳＩＤＮ番号の記号配列を基礎とすることができる。ＰＰＰ−ＩＤは、“マジックナンバー“の組み合わせ（ハンドシェーキング中にお互いにＬＡＣ１とＬＮＳによって送られた任意の番号）を基礎とすることもできる。１つの可能性は、ＬＡＣ１および／または、ＬＮＳから受信されたいくつかの任意の記号配列、あるいは、他の記号配列と一緒にＡナンバー、ＩＭＳＩ，あるいは、ＭＳＩＳＤＮを使用することである。この特徴を実行する上で、要求されることは、この場合においては、ＰＰＰ−ＩＤを形成する処理装置であるＬＣＰプロトコルの選択肢（ＬＣＰ選択肢）である。
【００３４】
図２により公表されているように、ＰＰＰ接続に使用されたＰＰＰ−ＩＤは、むしろ、ＬＡＣ１によって提供され、ＰＰＰ接続の全体の期間中に、同じ状態となる。さらに、ＰＰＰ−ＩＤは、ＰＰＰ−ＩＤがローミングの次にＬＡＣ２とＬＮＳの間において切り替わる場合、あるいは、サービスエリアに移動局のローミングが行われる次にＬＡＣとＬＮＳの間において切り替わるときでさえ、同じ状態である。ＬＡＣとＬＮＳの間における接続は、１番目のトンネルが信号送信用であり、２番目のトンネルが実際のデータトラフィック用であるような、いくつかのトンネルも構成しているということをここで注釈する。このような場合において、すべてのトンネルは、切り替えられねばならない。つまり、移動局が１つのサービスエリアから他のエリアに動き回るときいつでも古いＬＡＣから新しいＬＡＣまで転送されるということである。
【００３５】
従来のＰＰＰ配列において、接続に関する情報は、普段、トンネルＩＤとコールＩＤを構成する。これらは、ＬＳＮに格納されることができ、そのとき、セッション認識を提供するためにローミングして次にＬＡＣ２にそこから配信できる。以前記載したように、ＰＬＭＮは、常に、継続中の呼びと接続された移動局ＭＳの位置を把握しているので、図３に公表された１つの選択肢として、ＬＡＣ２によって要求された情報は、ＬＮＳの代わりにＰＬＭＮによって提供される。この場合、その配列は、古い接続ノードＬＡＣ１は、新しいノードＬＡＣ２に、そのとき、この情報を送るＰＬＭＮネットワークにこの情報を送る。または、そのとき、新しいアクセスノードＬＡＣ２は、たとえば、調査報告として、ＨＬＲ、あるいは、ＶＬＲデータベースから要求された情報を受信するためにＰＬＭＮシステムに報告を送ることができる。この場合、古いコールＩＤと古いトンネルＩＤに付け加えて、“ローミング・コール・リクエスト”が、ＬＮＳと新しい接続ノードＬＡＣ２の間におけるトンネルの新しいコールＩＤと新しいトンネルＩＤを含む。
【００３６】
ローミング・コール・リクエスト”メッセージを受信したあとで、ＬＮＳは、最初に、古い接続ノードＬＡＣ１とＬＮＳの間において、まだ継続している古い呼びを削除する。これは、例えば、ＩＥＴＦ（１９９８年１０月）によるＬ２ＴＰインターネットドラフトにおいて、明記されている“コール・ディスコネクト・ノティファイ”メッセージを送信することにより行われる。この情報を受信したあとで、ＬＮＳは、ＬＡＣ２とＬＮＳ“ｏｎ”の間における接続を切り替え、あるいは、ＬＡＣ２によって提供された新しいトンネルＩＤと新しいコールＩＤをＰＰＰセッションに結びつける。
【００３７】
移譲の過程を完結するために、ＬＮＳとＬＡＣ２の間におけるチュネリングとＰＰＰセッション接続の結びつきの状態を確認するために、ＬＮＳは、 “ローミング・コール・リプレイ”を新しい接続ノードＬＡＣ２に送る。接続手続きが、首尾よく、完遂された場合、新しいＬＡＣ２とＬＮＳは、今、互いにロードメッセージを送り始める。この処理に失敗した場合は、移動局が１つのサービスエリアから別のエリアに移動するごとに、現在、前記の分野において行われているように、ＬＮＳとＬＡＣノードの間における全体的に新しいＰＰＰセッションを再処理することが不可欠となる。
【００３８】
図４は、図２によって公表された実施例の方法の過程を公表する。その機能は、第２接続サーバーによってサービスされた新しいサービスエリアの中で移動する第１接続サーバーを介してデータネットワークサーバー（ＬＮＳ）に、継続中の終端点とサーバーの接続を持った移動ユーザーとして、ステップ１０２において、開始する。ステップ１０４において、ＰＬＭＮは、このロームされた移動ユーザーの第２接続サーバー（ＬＡＣ２）と移動局からネットワークサーバーＬＮＳ（この接続は、移動局と第１接続ノードの間と第１接続ノードＬＡＣ１とＬＮＳの間における接続を構成する）まで継続中の接続の第２接続サーバー（ＬＡＣ２）にも、通告する。適切なＬＮＳは、例えば、Ｂナンバー情報、あるいは、第２接続ノードに対し、ＰＬＭＮによって、提供されうるＬＮＳのデータネットワークアドレス情報を用いて定義できる
【００３９】
ステップ１０６において、第２接続ノードは、第１接続ノード（ＬＡＣ１）とＬＮＳの間における接続のＡナンバー情報、ＩＭＳＩおよび／または、ＭＳＩＳＤＮ情報のような、単一のＰＬＭＮ  ＩＤを基礎としたＰＰＰセッションＩＤを獲得する。そのセッションＩＤは、Ａナンバー、ＩＭＳＩ、または、ＭＳＩＳＤＮ情報の基礎を置いたように、ＰＬＭＮによって提供できる。第２接続ノードは、ローミングしている移動局に関する信号送信からとＰＬＭＮから入ってきた、そのセッションＩＤを認識する。第２接続ノードは、表や、セッションＩＤの記録、対応したＡナンバー、ＩＭＳＩ、あるいは、ＭＳＩＳＤＮ情報のような、セッションＩＤを決定する適当な手段を代わりに提供できる。
【００４０】
ステップ１０８において、第２接続ノードは、第２接続サーバーとネットワークサーバーの間における新しいトンネル化された接続の中に決められたＰＰＰセッションＩＤと関連するすべての呼び、または、接続を転送し、第１接続ノードとＰＰＰセッションＩＤと関連するネットワークサーバーの間におけるすべての呼びを削除するために、ネットワークサーバーＬＮＳを要求する。たとえ、この図が、接続ノードとネットワークサーバーの間における接続を示していても、その接続は、高レイヤ接続と低レイヤ接続、あるいは、１つ以上のトンネル内の多元接続を有する。すべての接続は、移動局が新しいサービスエリア移動する場合において、転送されなければならない。
【００４１】
ステップ１１０において、ＰＰＰ接続が、新しい接続ノードとネットワークサーバーの間において継続して転送され、古い接続ノードとデータネットワークサーバーＬＮＳの間における古い接続が完了することになるので、要求を受け入れて、さらに実行する。
【００４２】
接続の安全性のレベルを増すことも可能である。例えば、第３グループがＰＰＰセッションＩＤを獲得するリスクがある場合において、ＬＮＳが、ＬＡＣ間の移譲が完了したあとで、接続中の移動局からのオーセンティケーションを要求する配列を持つことが可能である。これは、移譲後、現時点より後になって行われることも可能である。オーセンティケーションは、パスワード要求とユーザーによるパスワード番号を押すことにより、成し遂げうる。ＬＮＳが、サービス利用を許可された移動局の一連のＩＭＳＩ、あるいは、ＩＳＤＮ番号表を提供される場合、オーセンティケーションは、ＬＮＳに送信される要求コードと次の受信コード確認によっておこる。
【００４３】
したがって、本発明は、移動局を用いた接続データネットワークサービスエリアにおいて、なし得る重要な進歩により解決を与える。本発明は、様々な実例において、特に、１つのＰＬＭＮ、あるいは、１国のような地形範囲が、１つ以上の接続ノードによってサービスされている適用において、提供された有利な点を提供するものであると考えられる。前述した本発明の実施例は、上記にて紹介された特定の形式に対して、発明の範囲を制限することは意図されておらず、本発明の技術思想の範囲には、すべての変更、類似、置換物が含まれる。その分野における技術からみても明らかな、すべての付加的な実施例、変更、適用は、本発明の精神と範囲の中に含まれる。
【００４４】
【図面の簡単な説明】
【図１】  図１は、本発明が利用できる１つの可能な通信システムの説明図である。
【図２】  図２は、本発明の好ましい実施例において、信号送信配列の説明図である。
【図３】  図３は、本発明の対象となる１つの実施例による、信号送信配列の説明図である。
【図４】  図４は、図２の実施例にける、その機能に対するフローチャートを表す。
【図１】
0004296561.tif 000002
【図２】
0004296561.tif 000003
【図３】
0004296561.tif 000004
【図４】
0004296561.tif 000005